(57)【要約】      （修正有）【課題】大型の清掃対象物に付着した汚れを速やかに拭き取ることができる物品収納ケースを提供する。【解決手段】物品収納ケース１０は、クッション材２６を外皮材２８で包み込んで構成された本体部１２と、本体部の内部に設けられた物品収納部１４と、物品収納部の内部に物品を挿入するときの物品挿入方向に沿って本体部の外表面に設けられた拭き部３０とを備えている。物品収納部は、物品収納部に収納される物品に損傷を与えない柔らかい布素材、革素材または樹脂素材で形成されている。拭き部は、拭き部で拭かれる清掃対象物に損傷を与えない柔らかい布素材、革素材または樹脂素材で形成されている。清掃対象物に付着した汚れを拭き取るとき、使用者は、物品収納部に収納された物品を手で押して、拭き部を清掃対象物に密着させる。【選択図】図２
0003209529.tif 000002
【実用新案登録請求の範囲】
【請求項１】
弾力性のあるクッション材をシート状の外皮材で包み込んで構成された本体部と、
前記本体部の外表面に開かれた開口部を有し、前記本体部の内部に設けられた物品収納部と、
前記開口部から前記物品収納部の内部に物品を挿入するときの物品挿入方向に沿って前記本体部の外表面に設けられた拭き部とを備え、
前記物品収納部は、前記物品収納部に収納される前記物品に損傷を与えない柔らかい布素材、革素材または樹脂素材で形成されており、
前記拭き部は、前記拭き部で拭かれる清掃対象物に損傷を与えない柔らかい布素材、革素材または樹脂素材で形成されている、物品収納ケース。
【請求項２】
前記物品収納部は、前記物品収納部に前記物品が収納されたときに、前記物品と前記拭き部との間で前記物品の平坦面に対向する対向部を有しており、
前記拭き部は、前記対向部に沿うように設けられている、請求項１に記載の物品収納ケース。
【請求項３】
前記クッション材は、前記本体部の内部における前記物品収納部と前記拭き部との間に位置する第１領域に設けられている、請求項１または２に記載の物品収納ケース。
【請求項４】
前記クッション材は、前記物品収納部を挟んで前記第１領域とは反対側に位置する第２領域にも設けられており、
前記第２領域に設けられた前記クッション材の密度は、前記第１領域に設けられた前記クッション材の密度よりも高くされている、請求項３に記載の物品収納ケース。
【請求項５】
前記本体部の内部における前記物品収納部よりも物品挿入方向の奥側には、前記クッション材が設けられた第３領域が構成されており、
前記拭き部は、前記第１領域および前記第３領域の両方に沿うように設けられている、請求項３または４に記載の物品収納ケース。
【請求項６】
前記第３領域には、前記クッション材よりも硬い材料で形成された複数の粒状体が設けられている、請求項５に記載の物品収納ケース。
【請求項７】
前記拭き部の前記第１領域に沿うように設けられた部分を第１部分とし、前記拭き部の前記第３領域に沿うように設けられた部分を第２部分としたとき、
前記第２部分の幅は前記第１部分の幅よりも狭くされている、請求項５または６に記載の物品収納ケース。
【考案の詳細な説明】
【技術分野】
【０００１】
本考案は、主として、携帯電話機、デジタルカメラ、メガネ、テレビおよびパソコンなどの物品に付着した汚れを拭き取ることができる物品収納ケースに関する。
【背景技術】
【０００２】
従来から、携帯電話機、デジタルカメラおよびメガネなどの物品に付着した汚れを拭き取ることができる物品収納ケースがある。例えば、下記特許文献１には、ケース本体と、物品に損傷を与えない柔らかい材料で形成された物品収納部とを備える物品収納ケースが開示されている。この物品収納ケースにおいて、物品収納部は、ケース本体の外表面に開口してケース本体の内部に設けられている。物品に付着した汚れを拭き取る用途で物品収納ケースを使用するとき、使用者は、物品収納部を手で摘まんでケース本体の外側に引き出し、この物品収納部を物品の表面に手で押し付けて、物品に付着した汚れを拭き取るようにしていた。
【先行技術文献】
【特許文献】
【０００３】
【特許文献１】実用新案登録第３１６４３１４号公報
【０００４】
しかしながら、上記特許文献１に開示された物品収納ケースでは、テレビおよびパソコンなどの大型の清掃対象物に付着した汚れを拭き取る用途には適さないという問題があった。すなわち、ケース本体の外側に引き出された物品収納部は、柔軟な材料で形成されているので、その全体または大部分を清掃対象物に手で押し付けることが困難であり、大型の清掃対象物の広い範囲に付着した汚れを速やかに拭き取ることができなかった。
【０００５】
本考案は上記問題に対処するためになされたものであり、大型の清掃対象物に付着した汚れを速やかに拭き取ることがでる物品収納ケースを提供することを目的とする。
【考案の概要】
【０００６】
上記目的を達成するため、本考案に係る物品収納ケースの特徴は、弾力性のあるクッション材をシート状の外皮材で包み込んで構成された本体部と、前記本体部の外表面に開かれた開口部を有し、前記本体部の内部に設けられた物品収納部と、前記開口部から前記物品収納部の内部に物品を挿入するときの物品挿入方向に沿って前記本体部の外表面に設けられた拭き部とを備え、前記物品収納部は、前記物品収納部に収納される前記物品に損傷を与えない柔らかい布素材、革素材または樹脂素材で形成されており、前記拭き部は、前記拭き部で拭かれる清掃対象物に損傷を与えない柔らかい布素材、革素材または樹脂素材で形成されていることにある。
【０００７】
この構成では、物品収納部に収納された物品を芯材として用いることができるので、物品を使用者の手で押すと、物品の表面から拭き部に圧力が作用し、その圧力で拭き部が清掃対象物に押し付けられる。したがって、物品の大きさに応じた広い面積の拭き部を清掃対象物に押し付けることが可能であり、大型の清掃対象物に付着した汚れを速やかに拭き取ることができる。物品収納部は、物品に損傷を与えない柔らかい布素材、革素材または樹脂素材で形成されているので、物品を芯材として用いても物品は損傷しない。また、物品収納部において、物品を傷付けることなく保管できる。
【０００８】
本考案の他の特徴は、前記物品収納部は、前記物品収納部に前記物品が収納されたときに、前記物品と前記拭き部との間で前記物品の平坦面に対向する対向部を有しており、前記拭き部は、前記対向部に沿うように設けられていることにある。
【０００９】
この構成では、物品の平坦面で対向部および拭き部を押すことによって、拭き部を清掃対象物に押し付けることができるので、拭きむらを防止できるとともに、局所的に作用する過大な圧力で清掃対象物が損傷することを防止できる。
【００１０】
本考案の他の特徴は、前記クッション材は、前記本体部の内部における前記物品収納部と前記拭き部との間に位置する第１領域に設けられていることにある。
【００１１】
この構成では、物品収納部と拭き部との間にクッション材が設けられるので、清掃対象物の表面に凹凸がある場合でも拭き部を清掃対象物に密着させ易い。
【００１２】
本考案の他の特徴は、前記クッション材は、前記物品収納部を挟んで前記第１領域とは反対側に位置する第２領域にも設けられており、前記第２領域に設けられた前記クッション材の密度は、前記第１領域に設けられた前記クッション材の密度よりも高くされていることにある。
【００１３】
この構成では、第２領域のクッション材は、第１領域のクッション材よりも高密度であることから、第１領域のクッション材よりも硬い。したがって、第２領域のクッション材を本体部の外側から手でしっかりと掴むことができる。
【００１４】
本考案の他の特徴は、前記本体部の内部における前記物品収納部よりも物品挿入方向の奥側には、前記クッション材が設けられた第３領域が構成されており、前記拭き部は、前記第１領域および前記第３領域の両方に沿うように設けられていることにある。
【００１５】
この構成において、本体部の第３領域が構成された部分には、芯材としての物品が配置されないので、その部分を使用者の手で押すと、拭き部の一部が清掃対象物に局所的に押し付けられる。したがって、清掃対象物に付着した汚れを集中的に拭き取り易い。
【００１６】
本考案の他の特徴は、前記第３領域には、前記クッション材よりも硬い材料で形成された複数の粒状体が設けられていることにある。
【００１７】
この構成において、本体部の第３領域が構成された部分を使用者の手で押すと、粒状体から拭き部に対して局所的な力が作用する。したがって、清掃対象物に付着した汚れを集中的に拭き取り易い。
【００１８】
本考案の他の特徴は、前記拭き部の前記第１領域に沿うように設けられた部分を第１部分とし、前記拭き部の前記第３領域に沿うように設けられた部分を第２部分としたとき、前記第２部分の幅は前記第１部分の幅よりも狭くされていることにある。
【００１９】
この構成では、幅が狭くなっている拭き部の第２部分によって、入隅部などの清掃対象物の狭い部分を拭き易い。
【図面の簡単な説明】
【００２０】
【図１】本考案の一実施形態に係る物品収納ケースの構成を示す斜視図である。
【図２】図１に示す物品収納ケースの構成を示す左側面図である。
【図３】図１に示す物品収納ケースの構成を示す底面図である。
【図４】図１に示す物品収納ケースの物品収納部に物品を収納した状態を示す左側面図である。
【図５】図１に示す物品収納ケースで清掃対象物を拭く方法を示す斜視図である。
【考案を実施するための形態】
【００２１】
以下、本考案に係る物品収納ケースの一実施形態について図面を参照しながら説明する。図１は本考案の一実施形態に係る物品収納ケース１０の構成を示す斜視図である。図２は物品収納ケース１０の構成を示す左側面図であり、図３は物品収納ケース１０の構成を示す底面図である。図４は物品収納ケース１０の物品収納部１４に物品Ｘを収納した状態を示す左側面図である。図５は物品収納ケース１０で清掃対象物Ｕを拭く方法を示す斜視図である。これらの各図は、本考案の理解を容易にするために、一部の構成要素を誇張して表わすなど模式的に表している。このため、各構成要素間の寸法や比率などは実物とは異なっていることがある。なお、以下の説明で用いる「前後左右」の各方向は、図面中に矢印で示した各方向と一致する。
【００２２】
図１に示す物品収納ケース１０は、図４に示す物品Ｘを芯材として用いて、図５に示す大型の清掃対象物Ｕに付着した汚れを速やかに拭き取ることができるように構成されている。また、物品収納ケース１０は、物品Ｘを芯材として用いない場合でも、物品収納部１４の内部で物品Ｘを保管することができるように構成されている。本実施形態の物品収納ケース１０は、デザイン性や装飾性を重視する観点から、カピバラの外観を模した形状に形成されている。なお、図４に示す物品Ｘは平坦面ｍを有する板状のスマートフォンであり、図５に示す清掃対象物Ｕは平坦な画面を有するテレビである。
【００２３】
（物品収納ケース１０の構成）
図２および図３に示すように、物品収納ケース１０は、本体部１２と、拭き部３０と、物品収納部１４と、２つの転倒防止部１６，１８と、複数の粒状体２０とを備えている。なお、図２では、本体部１２および転倒防止部１６の内部構造が分かるように、それらの一部を破断して示している。
【００２４】
図２に示すように、本体部１２は、カピバラの胴体、頭、顔および後足に対応する部分であり、清掃対象物Ｕ（図５）に押し当てられる押し当て部２２と、使用者の手Ｈ（図５）で掴まれる掴み部２４とを有している。本体部１２を構成する押し当て部２２および掴み部２４の全体は、弾力性のあるクッション材２６をシート状の外皮材２８で包み込むことによって構成されている。
【００２５】
図２に示すクッション材２６は、カピバラの胴体、頭、顔および後足に対応する部分の全体を形づくる弾力性のある部材であり、本実施形態では、ポリエステル製の綿素材によって形成されている。なお、クッション材２６の材料は、特に限定されるものではなく、ポリエステル製の綿素材に代えて、例えば、スポンジ、ウレタン、低反発素材、樹脂製ビーズなどが用いられてもよい。
【００２６】
図２に示す外皮材２８は、クッション材２６の全体を覆うことによって本体部１２の外表面を構成するシート状の部材であり、押し当て部２２の外表面を構成する第１部分２８ａと、掴み部２４の外表面を構成する第２部分２８ｂとを有している。本実施形態では、外皮材２８の第１部分２８ａが、清掃対象物Ｕ（図５）を拭くための「拭き部３０」となっている。
【００２７】
図２および図３に示すように、外皮材２８の第１部分２８ａすなわち拭き部３０は、物品収納部１４の内部に物品Ｘ（図４）を挿入するときの物品挿入方向（本実施形態では前後方向）に沿って本体部１２の外表面に設けられている。したがって、図４に示すように、物品収納部１４に物品Ｘを収納した状態において、拭き部３０は物品Ｘに沿うように配置される。図２に示すように、物品収納ケース１０を机などの平坦面Ｐ上に載置したとき、拭き部３０は平坦面Ｐに接触する。
【００２８】
拭き部３０は、拭き部３０で拭かれる清掃対象物Ｕ（図５）に損傷を与えない柔らかい材料によって形成されている。本実施形態では、拭き部３０の材料として、ポリエステル製の超極細繊維で形成された布素材が用いられている。なお、拭き部３０の材料は、本実施形態の布素材に限定されるものではなく、例えば、天然繊維および／または化学繊維からなる織物、編物、フェルト、不織布などの布素材や、革素材や、塩ビ製シートなどの樹脂素材が用いられてもよい。
【００２９】
図２に示す外皮材２８の第２部分２８ｂは、毛皮状の材料で形成されている。毛皮状の材料としては、ファー、ボア、パイル、モヘアおよびシールなどから選択された１つが用いられてもよいし、これらから選択された２つ以上が組み合わせて用いられてもよい。なお、第２部分２８ｂの材料は、毛皮状の材料に限定されるものではなく、平滑な表面を有するシート状の材料が用いられてもよいし、拭き部３０と同じ材料が用いられてもよい。
【００３０】
図２および図３に示すように、本体部１２の後部には、カピバラの後足に対応する２つの突起部３２，３４が、左右方向に間隔を隔てて、後方に突出するように設けられている。図１に示すように、本体部１２の上部には、カピバラの耳に対応する２つの突起部３６，３８が、左右方向に間隔を隔てて、上方に突出するように設けられている。
【００３１】
図２および図３に示す物品収納部１４は、図４に示す物品Ｘを収納する袋状の部材であり、本体部１２におけるカピバラの顔および胴体に対応する部分の内部に設けられている。図４に示すように、物品収納部１４は、物品収納部１４に物品Ｘが収納されたときに、物品Ｘと拭き部３０との間で物品Ｘの平坦面ｍに対向する対向部１４ａと、本体部１２の外表面に開かれた開口部４０とを有している。
【００３２】
物品収納部１４は、物品収納部１４に収納される物品Ｘ（図４）に損傷を与えない柔らかい材料によって、物品Ｘを収納可能な形状および大きさに形成されている。本実施形態では、物品収納部１４の材料として、ポリエステル製の超極細繊維で形成された布素材が用いられている。なお、物品収納部１４の材料は、本実施形態の布素材に限定されるものではなく、例えば、天然繊維および／または化学繊維からなる織物、編物、フェルト、不織布などの布素材や、革素材や、塩ビ製シートなどの樹脂素材が用いられてもよい。
【００３３】
図２および図３に示すように、物品収納部１４の開口部４０は、カピバラの口に対応する部分であり、本実施形態では、前方に向けて開かれている。したがって、開口部４０から物品収納部１４の内部に物品Ｘ（図４）を挿入するときの物品挿入方向は、前後方向と一致している。上記の対向部１４ａは、物品挿入方向（前後方向）に沿うように設けられており、上記の拭き部３０は、対向部１４ａに沿うように設けられている。したがって、図４に示すように、物品収納部１４にスマートフォンなどの物品Ｘを収納したとき、物品Ｘの平坦面ｍは、対向部１４ａおよび拭き部３０に対してほぼ平行に配置される。
【００３４】
図２に示すように、物品収納部１４は、開口部４０において本体部１２の外皮材２８に接合されているが、本体部１２の内部ではクッション材２６などに固定されていない。つまり、物品収納部１４は、その開口部４０を通して、本体部１２の外側に引き出したり、本体部１２の内側に押し込んだりできるように構成されている。
【００３５】
図２に示すように、本体部１２の内部における物品収納部１４と拭き部３０との間に位置する領域を「第１領域Ｑ１」とし、物品収納部１４を挟んで第１領域Ｑ１とは反対側に位置する領域を「第２領域Ｑ２」とすると、上記のクッション材２６は、第１領域Ｑ１および第２領域Ｑ２の両方に設けられている。本実施形態では、第１領域Ｑ１が押し当て部２２の内部に位置しており、第２領域Ｑ２が掴み部２４の内部に位置しているので、クッション材２６は、押し当て部２２および掴み部２４の両方に設けられていることになる。したがって、清掃対象物Ｕ（図５）に凹凸がある場合でも、拭き部３０を清掃対象物Ｕ（図５）に密着させることができる。また、掴み部２４を使用者の手Ｈ（図５）で掴み易い大きさに形成することができる。
【００３６】
図２に示す第２領域Ｑ２に設けられたクッション材２６の密度は、第１領域Ｑ１に設けられたクッション材２６の密度よりも高くされている。したがって、掴み部２４におけるクッション材２６の硬さは、押し当て部２２におけるクッション材２６の硬さよりも硬くなっており、掴み部２４を使用者の手Ｈ（図５）でしっかりと掴むことができる。
【００３７】
図２に示すように、物品収納部１４よりも物品挿入方向の奥側（後側）に位置する領域を「第３領域Ｑ３」としたとき、第３領域Ｑ３にも上記のクッション材２６が設けられている。上記の拭き部３０は、第１領域Ｑ１および第３領域Ｑ３の両方に沿うように設けられている。拭き部３０の第１領域Ｑ１に沿うように設けられた部分を第１部分３０ａとし、拭き部３０の第３領域Ｑ３に沿うように設けられた部分を第２部分３０ｂとしたとき、図３に示すように、第２部分３０ｂの幅Ｗ２は、第１部分３０ａの幅Ｗ１よりも狭くされている。
【００３８】
図２に示すように、第３領域Ｑ３には、クッション材２６よりも硬い材料で形成された複数の粒状体２０が設けられている。粒状体２０は、本体部１２における第３領域Ｑ３に対応する部分が使用者の手Ｈ（図５）で押されたときに、拭き部３０に対して局所的な力を作用させるための部材であり、合成樹脂、金属、木材および石などによってビーズ状に形成されている。
【００３９】
図３に示す２つの転倒防止部１６，１８のそれぞれは、本体部１２の左右方向への転倒を防止する部分であり、カピバラの２本の前足のそれぞれに対応するように、本体部１２から左右方向に突出して形成されている。図２に示すように、左側の転倒防止部１６は、袋状部１６ａと、充填材１６ｂとを有している。袋状部１６ａは、転倒防止部１６の外表面を構成する部分であり、本体部１２を構成する外皮材２８の第２部分２８ｂと同じ材料によって、袋状に形成されている。充填材１６ｂは、転倒防止部１６の強度を確保するために袋状部１６ａに充填される部材であり、本体部１２を構成するクッション材２６と同じ材料で形成されている。なお、充填材１６ｂの材料は、特に限定されるものではなく、クッション材２６とは異なる材料が用いられてもよい。
【００４０】
図３に示す右側の転倒防止部１８は、左側の転倒防止部１６と左右対称に構成されている。物品収納ケース１０を平坦面Ｐ（図２）上に載置した状態において、左右両側の転倒防止部１６，１８は、本体部１２から左右方向に突出して平坦面Ｐに接触する。したがって、物品収納ケース１０の姿勢を平坦面Ｐ上で安定させることができる。
【００４１】
（物品収納ケース１０の作動）
次に、物品収納ケース１０の作動について、図４および図５を参照しながら説明する。図４に示すように、物品収納ケース１０を用いて物品Ｘを保管するときには、使用者は、本体部１２の表面に開かれた開口部４０（カピバラの口に対応する部分）に物品Ｘを挿し込んで、この物品Ｘの全部また大部分を物品収納部１４の内部に収納する。これにより、使用者は、物品Ｘを保管することができる。なお、物品収納部１４は、物品Ｘに損傷を与えない柔らかい材料、具体的には、超極細繊維からなる布素材で形成されているため、物品収納部１４の内部において物品Ｘが損傷することはない。
【００４２】
図５に示すように、物品収納ケース１０を用いて清掃対象物Ｕ（テレビの画面など）に付着した汚れを拭き取るときには、使用者は、まず、物品収納部１４に物品Ｘを収納する。続いて、本体部１２の掴み部２４を物品Ｘと一緒に手Ｈで掴み、物品Ｘを押すことによって拭き部３０の第１部分３０ａ（図３）を清掃対象物Ｕに押し付ける。その状態を保ちながら、物品収納ケース１０および物品Ｘを清掃対象物Ｕの表面（画面）に沿って移動させて、清掃対象物Ｕに付着している汚れを拭き取る。
【００４３】
入隅部Ｒなどの清掃対象物Ｕの狭い部分を拭くときには、使用者は、第３領域Ｑ３（図３）に対応する拭き部３０の第２部分３０ｂを清掃対象物Ｕに手Ｈで押し付ける。第３領域Ｑ３には、物品収納部１４が設けられておらず、物品Ｘは配置されていないので、第２部分３０ｂを用いるときに物品Ｘは邪魔にならない。図３に示すように、第２部分３０ｂの幅Ｗ２は第１部分３０ａの幅Ｗ１よりも狭いので、物品Ｘが邪魔にならないことと相俟って、第２部分３０ｂで入隅部Ｒを拭き易い。
【００４４】
清掃対象物Ｕに付着した頑固な汚れを集中的に拭き取るときには、使用者は、第３領域Ｑ３に設けられた粒状体２０（図３）を手Ｈで押すことによって、粒状体２０から拭き部３０の第２部分３０ｂ（図３）に局所的な力を作用させる。すると、汚れを除去する力がその部分において増大し、頑固な汚れが速やかに取り除かれる。
【００４５】
（実施形態の効果）
本実施形態によれば、上記構成により以下の各効果を奏することができる。すなわち、図５に示すように、物品収納部１４に収納された物品Ｘを芯材として用いることができるので、物品Ｘを使用者の手Ｈで押すと、物品Ｘの表面から拭き部３０（図３）に圧力が作用し、その圧力で拭き部３０が清掃対象物Ｕに押し付けられる。したがって、物品Ｘの大きさに応じた広い面積の拭き部３０（図３）を清掃対象物Ｕに押し付けることが可能であり、大型の清掃対象物Ｕに付着した汚れを速やかに拭き取ることができる。また、物品収納部１４は、物品Ｘに損傷を与えない柔らかい布素材、革素材または樹脂素材で形成されているので、物品収納部１４の内部において物品Ｘを傷付けることなく保管できる。
【００４６】
図４に示すように、物品Ｘの平坦面ｍで対向部１４ａおよび拭き部３０を押すことによって、拭き部３０を清掃対象物Ｕ（図５）に押し付けることができるので、拭きむらを防止できるとともに、局所的に作用する過大な圧力で清掃対象物Ｕが損傷することを防止できる。
【００４７】
図２に示すように、物品収納部１４と拭き部３０との間にクッション材２６が設けられているので、清掃対象物Ｕ（図５）の表面に凹凸がある場合でも拭き部３０を清掃対象物Ｕに密着させ易い。
【００４８】
図２に示す第２領域Ｑ２のクッション材２６は、第１領域Ｑ１のクッション材２６よりも高密度であることから、第１領域Ｑ１のクッション材２６よりも硬い。したがって、第２領域Ｑ２のクッション材２６を本体部１２の外側から手でしっかりと掴むことができる。
【００４９】
図２に示す本体部１２の第３領域Ｑ３が構成された部分には、芯材としての物品Ｘ（図５）が配置されないので、その部分を使用者が手で押すと、手の力が粒状体２０を介して拭き部３０に作用し、拭き部３０の一部が清掃対象物Ｕ（図５）に局所的に押し付けられる。したがって、清掃対象物Ｕ（図５）に付着した汚れを集中的に拭き取り易い。また、図３に示すように、拭き部３０の第３領域Ｑ３に対応する第２部分３０ｂでは、第１領域Ｑ１に対応する第１部分３０ａよりも幅が狭くなっているので、第２部分３０ｂによって、入隅部などの清掃対象物Ｕ（図５）の狭い部分を拭き易い。
【００５０】
（変形例）
なお、本考案の実施にあたっては、上記実施形態に限定されず、本考案の目的を逸脱しない限りにおいて種々の変更が可能である。例えば、上記実施形態では、物品収納ケース１０がカピバラの外観を模した形状に形成されているが、物品収納ケース１０は、他の動物やキャラクタの外観を模した形状に形成されてもよい。
【００５１】
他の動物としては、例えば、愛玩動物（イヌ、ネコ、小鳥、ねずみなど）、干支、各種野生動物（ライオン、カバ、キリン、コアラ、ラッコ、イルカ、クジラなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、キャラクタとしては、例えば、アニメ、童話、昔話などの主人公および擬人化した動植物（例えば、擬人化したネズミなど）などが考えられる。
【００５２】
また、上記実施形態では、物品Ｘとして、スマートフォンを例示しているが、例えば、携帯電話機（スマートフォンを除く。）、デジタルカメラおよびメガネなどが物品Ｘとして用いてもよい。また、例えば、リップスティック、コンパクト、手鏡などの美容化粧用具、宝石などのジュエリー、鍵などを物品Ｘとして用いてもよい。これらの場合、物品Ｘを収納する物品収納部１４や本体部１２の形状や大きさは、物品Ｘの形状や大きさに応じて適宜決定してもよい。
【００５３】
さらに、上記実施形態では、清掃対象物Ｕ（図５）としてテレビを例示しているが、例えば、パソコン、ステレオ、携帯電話機、デジタルカメラおよびメガネなどの他の物品を清掃対象物Ｕとしてもよい。携帯電話機、デジタルカメラおよびメガネなどの小型の物品を清掃対象物Ｕとするときには、芯材としての物品Ｘ（図５）は物品収納部１４に収納されなくてもよい。
【符号の説明】
【００５４】
Ｕ…清掃対象物、Ｘ…物品、１０…物品収納ケース、１２…本体部、１４…物品収納部、
２６…クッション材、２８…外皮材、３０…拭き部
【図１】
0003209529.tif 000003
【図２】
0003209529.tif 000004
【図３】
0003209529.tif 000005
【図４】
0003209529.tif 000006
【図５】
0003209529.tif 000007